(57)【要約】【課題】カメラの非撮影状態において光学機構部がカメラ本体内に収納されてレンズ面の保護が行えると共に、撮影時のカメラのホールド感を改善し長時間の撮影に好適なカメラ装置を得る。【解決手段】記録媒体及び記録再生機構部を内蔵したカメラ本体１と、カメラ本体１に外付け式に旋回自在に取り付けられている液晶表示パネル２と、カメラ本体１の上部に当該カメラ本体１内へ収納位置と、支点軸１４を支点にしてポップアップ位置とに回動可能にされるポップアップ機構部を有するレンズブロック５を備え、カメラの非撮影状態ではレンズブロック５がカメラ本体１内に格納されてレンズ面が外筐体で保護され、カメラの撮影状態ではカメラ本体１に対してレンズブロック５が所定の仰角角度ポップアップするようにした。また、カメラの撮影状態は、カメラ本体が前傾姿勢にされて保持され、レンズ面６の光軸が被写体に正対させることで撮影時のホールド感を改善するようにした。【選択図】　　　図４
2004072337.tif 000002
【特許請求の範囲】
【請求項１】
記録媒体及び記録再生機構部を内蔵したカメラ本体部と、
上記カメラ本体部に取り付けられている液晶表示パネル部と、
上記カメラ本体部の上部に配置され、上記カメラ本体部内へ格納位置と、支点軸を支点にしてポップアップ位置とに回動可能にされるポップアップ機構部を有する光学機構部と、
を備え、カメラの非撮影状態では上記光学機構部が上記カメラ本体部内に格納されて当該光学機構部の前玉レンズが外筐体で保護され、カメラの撮影状態では上記カメラ本体部に対して上記光学機構部が所定の仰角角度ポップアップするようにしたことを特徴とするカメラ装置。
【請求項２】
請求項１記載のカメラ装置において、
上記カメラ装置の撮影状態は、上記カメラ本体部が前傾姿勢にされて保持され、上記光学機構部の前玉レンズの光軸が被写体に正対させることで撮影時のホールド感を改善するようにしたことを特徴とするカメラ装置。
【請求項３】
請求項１記載のカメラ装置において、
上記光学機構部の前玉レンズの周囲にストロボ、集音マイクを配置したことを特徴とするカメラ装置。
【請求項４】
請求項１記載のカメラ装置において、
上記光学機構部の前玉レンズが保護される外筐体部分が上記カメラ本体部のグリップ領域として確保できるようにしたことを特徴とするカメラ装置。
【請求項５】
請求項１記載のカメラ装置において、
上記光学機構部の前玉レンズが保護される外筐体部分に操作ボタン、スピーカ、集音マイク、ストロボが配置されることを特徴とするカメラ装置。
【請求項６】
請求項１記載のカメラ装置において、
上記光学機構部が上記カメラ本体部内に格納される動作に連動してカメラの電源が遮断され、上記光学機構部のポップアップ動作に連動してカメラの電源が投入されることを特徴とするカメラ装置。
【発明の詳細な説明】
【０００１】
【発明の属する技術分野】
本発明は、超小型化され高密度記録，再生を可能にした例えばデジタルビデオカメラ装置等に適用して好適なカメラ装置に関し、詳しくは、光学機構部を構成するレンズブロックをカメラ本体に対してポップアップ可能にし、レンズブロックの格納時にレンズの保護が行え、ポップアップさせた撮影状態にあってはカメラのホールド感を改善できるようにしたものである。
【０００２】
【従来の技術】
従来、ビデオカメラやデジタルスチルカメラは超小型化された種々のタイプのものが開発されている。しかし、いずれのカメラの場合も撮影用のレンズはカメラ本体の前面に固定式に配置されている。
【０００３】
また、従来の固定式レンズのレンズ保護は、レンズ先端部に着脱式のキャップを取り付けてレンズを保護するか、シャッター式のバリア機構を内蔵してレンズを保護していた。
【０００４】
【発明が解決しようとする課題】
しかし、固定式レンズのカメラは、レンズ正面には他のデバイスを配置できないので、カメラのグリップ位置やデバイスの領域を他の場所で確保する必要があり、このため、カメラの小型化の障害となっていた。
【０００５】
また、着脱式のキャップは紛失の恐れがあったり、着脱操作の煩わしさがあり、レンズ面を他のスペースとして利用することはできない。また、シャッター式のバリア機構は紛失の恐れはなく着脱の煩わしさはないが、着脱式のキャップの場合と同様にレンズ面を他のスペースとして利用することはできない。
【０００６】
上述したように従来の固定式レンズでは、カメラ本体の側面や上下面に種々のデバイスを配置し、カメラのグリップ領域をレンズエリア以外の部分で確保していた。
【０００７】
また、固定式レンズがカメラの正面側にあるビデオカメラの場合を例にとると、カメラをグリップして撮影するときの手の姿勢は手首をほぼ直角向きに曲げた状態となり、この撮影の姿勢は手首が疲れ長時間の撮影状態では苦痛になるといった問題があった。
【０００８】
本発明は、上述したような課題を解消するためになされたもので、カメラの非撮影状態において光学機構部がカメラ本体内に収納されてレンズ面の保護が行えると共に、撮影時のカメラのホールド感を改善し長時間の撮影であっても苦痛が生じることのないカメラ装置を得ることを目的とする。
【０００９】
【課題を解決するための手段】
上述の目的を達成するため本発明によるカメラ装置は、記録媒体及び記録再生機構部を内蔵したカメラ本体部と、カメラ本体部に取り付けられている液晶表示パネル部と、カメラ本体部の上部にカメラ本体部内へ格納位置と、ポップアップ位置とに回動可能にされる光学機構部とを備えたものである。
【００１０】
上述したカメラ装置によれば、カメラの非撮影状態では光学機構部がカメラ本体部内に格納されて光学機構部のレンズ面が外筐体で保護することができる。これによって、レンズ面に対面する外筐体部分がカメラのグリップ領域として確保でき、カメラの一層の小型化が可能となる。
【００１１】
また、カメラの撮影状態では光学機構部が所定の仰角角度にポップアップするので、撮影時はカメラ本体部が前傾姿勢にされて保持され、光学機構部のレンズ光軸が被写体に対面した撮影状態となる。これによって、撮影時に手首を曲げることなく自然な姿勢で撮影することができる。
【００１２】
【発明の実施の形態】
以下、本発明によるカメラ装置の実施の形態を超小型のデジタルビデオカメラ（以下、単にカメラという）を例にとって図面を参照して説明する。
【００１３】
図１はカメラの非撮影状態の外観斜視図、図２はカメラの撮影状態の外観斜視図である。
【００１４】
符号１はカメラ本体であり、カメラ本体１内には図示しない記録再生機構を備え、同じく図示しない開閉扉から記録媒体であるテープカセットが出し入れ可能である。また、カメラ本体１には外付け式の液晶表示パネル２がヒンジ部３を介して開閉及び旋回動作自在に取り付けられている。また、液晶表示パネル２の下部のカメラ本体１部分にカメラ電源用のバッテリーパック４が着脱式に取り付けられる。
【００１５】
また、カメラ本体１には図１及び図２からは見えないが、液晶表示パネル２とは反対側の側面にカメラモード、メモリモード、ビデオモードとに切り換えるモード切換えつまみやズームレバーが配置されており、また、カメラ本体１の背面側に撮影スタート／ストップボタン等が配置されている。尚、本実施の形態のカメラにはビューファインダーは設けられていず、液晶表示パネル２に映し出される画像を見ながら撮影するものである。
【００１６】
さて、カメラ本体１の上部には本発明の特徴部分となる光学機構部であるレンズブロック５が配置されている。レンズブロック５は前面側に被写体像が入射される前玉レンズ（以下、レンズ面６という）を備え、このレンズ面６の上部に隣接するようにしてストロボ７と、レンズ面６の下部に隣接するようにして左右一対の集音マイク８を備えている。
【００１７】
このレンズブロック５はカメラの非撮影状態では図１に示すようにカメラ本体１の上面に設けたレンズブロック収納凹部９内に格納されてカメラの携帯性と小型化が図れると共に、レンズ面６がカメラ本体１の前面上部の外筐体１ａにより保護されるようになっている。そして、レンズブロック５はカメラの撮影状態では後述するポップアップボタンが操作されることで、図２に示すように支点軸１０（後述する軸１４に相当する軸）を支点にして所定の仰角角度θ（例えば３０°前後）ポップアップ動作し、レンズ面６がカメラ本体１の上部から露出するようになる。
【００１８】
次に、レンズブロック５のポップアップ機構の詳細を図３〜図８について説明する。図３はレンズブロック５が格納位置の一部断面拡大側面図、図４はレンズブロック５がポップアップ動作位置の一部断面拡大側面図、図５はポップアップ機構の固定側板金部材の分離状態の斜視図、図６はレンズブロック５が搭載された可動側板金部材の分離状態の斜視図、図７は固定側板金部材と可動側板金部材とが組付けられた格納位置を後方側から見た斜視図、図８は同じく格納位置を前方側から見た斜視図である。
【００１９】
図５において、符号１１がレンズブロック収納凹部９の底部に図示しないねじにより固定される固定側板金部材のベース板であり、このベース板１１の後端部（図中、右端部）にこれから一体に一対の側板１２，１２が曲げ起こされ、一方の側板１２の上部に形成した軸孔１３ａに軸１４が第１のコイルばね１５を挿着した状態でカシメ部１４ａがカシメ固定される。また、他方の側板１２の上部の軸孔１３ｂに軸１６がそのカシメ部１６ａがカシメ固定される。上述した軸１４及び軸１６の軸孔１３ａ及び軸孔１３ｂへのカシメ固定は後述する可動側板金の側板の軸孔を通じて行われる。また、側板１２，１２の上端部には後方側にアーム１７，１７が延出され、その先端部に形成した軸孔１８ａ，１８ｂに大きい孔（軸孔１８ａ）の方からロック軸ピン１９が挿入され、軸孔１８ｂ側でカシメ固定される。
【００２０】
また、ベース板１１の前端部にはやや外向きに傾斜するように袖板２０が一体に曲げ起こされ、袖板２０の左右側部の近くにガイド溝２１，２１が形成され、両ガイド溝２１，２１の内側に位置するようにＵ字状に形成したワイヤ部材２２２２がその下端部の連結部２２ａを袖板２０とベース板１１から曲げ起こした係止片２３との間に挟み込まれ、ワイヤ部材２２，２２の両上端に形成した曲げ部２２ｂ，２２ｂを袖板２０のスリット溝２０ａ，２０ａに係止し固定されている。このばね部材２２，２２の上端近くに上述したガイド溝２１，２１側へ張り出すように凸状の曲面部２４，２４が形成されている。
【００２１】
一方、図６において、符号２５が可動側板金部材のベース板であり、このベース板２５上にレンズブロック５が固定されている。ベース板２５の後端部（図中、右端部）にこれから一体に一対の側板２６，２６が曲げ起こされ、両側板２６，２６の上部に軸孔２７，２７が形成されている。また、両側板２６，２６の上端から後方側へやや傾斜するように軸受アーム２８，２８が突出形成され、その先端部に軸孔２９，２９が形成されている。この軸孔２９，２９にヘの字形に形成した揺動板３０がその軸受板３１，３１の孔３１ａ，３１ａを通じて軸ピン３２により揺動可能に支持され、揺動板３０の上方の一面にはポップアップボタン３３が支持されている。また、揺動板３０の下方の片にはロック爪３４が設けられている。
【００２２】
軸ピン３２には第２のコイルばね３５が挿着されされている。第２のコイルばね３５の一端３５ａは一方の軸受アーム２８に設けたばね掛け片２８ａに掛け止めされ、他端３５ｂは揺動板３０の裏面に掛け止めされている。つまり、揺動板３０は第２のコイルばね３５のばね力により時計回り方向へ付勢されている。
【００２３】
また、ベース板１１の前端側には一体に折り曲げられた取付板３６に左右一対のガンドピン３７，３７（図８参照）がやや下向きに傾斜するようにして取り付けられている。このガイドピン３７，３７の間隔は上述した固定側板金１１のガイド溝２１，２１の間隔と一致している。
【００２４】
ここで、固定側板金部材１１に可動側板金部材２５を組付ける手順は、まず、固定側板金部材１１の袖板２０のスリット溝２１，２１に可動側板金部材２５のガイドピン３７，３７を挿入したあと、可動側板金部材２５の一方の側板２６の軸孔２７を通じて固定側板金部材１１の一方の側板１２の軸孔１３ａに第１のコイルばね１５を挿着した軸１４をカシメ固定する。同様に可動側板金部材２５の他方の側板２６の軸孔２７を通じて固定側板金部材１１の他方の側板１２の軸孔１３ｂに軸１６をカシメ固定する。そして、第１のコイルばね１５の一端１５ａを固定側板金部材１１の側板１２のばね掛け片１２ａに掛け止めし、第１のコイルばね１５の他端１５ｂを可動側板金部材２５の側板２６のばね掛け片２６ａに掛け止めされる。
【００２５】
ここで、可動側板金部材２５はレンズブロック５と共に第１のコイルばね１５のばね付勢力により軸１４を回動支点として仰角角度にポップアップする動作と、収納位置にロックされ格納される動作とが行われる。
【００２６】
レンズブロック５の格納状態では、図３に示すように時計回り方向へ付勢されている揺動板３０のロック爪３４がロック軸ピン１９に係合されレンズブロック５の格納状態を保持している。この際、可動側板金部材２５のガイドピン３７，３７は固定側板金部材１１のスリット溝２１，２１の下方側に位置している。
【００２７】
ここで、ポップアップボタン３３を押圧操作し、揺動板３０を反時計回り方向へ回動させると、仮想線で示すようにロック爪３４がロック軸ピン１９から後退してロックが解除され、これと同時に第１のコイルばね１５のばね付勢力により可動側板金部材２５と共にレンズブロック５が図４に示すようにガイドピン３７，３７がガイド溝２１，２１に沿ってガイドされながらポップアップ位置に跳ね上げ動作される。このレンズブロック５のポップアップ位置では、ガイドピン３７，３７がワイヤ部材２２，２２の曲面部２４，２４を乗り越した状態においてポップアップ位置に保持される。
【００２８】
レンズブロック５をポップアップ位置から収納位置に格納するときは、レンズブロック５を第１のコイルばね１５のばね力に抗して手で押し下げることにより、ロック爪３４がロック軸ピン１９を乗り上げ図３に示すように、ロック爪３４が再びロック軸ピン１９と係合され格納状態が保持される。
【００２９】
上述のように構成したカメラは、レンズブロック５がポップアップ動作された状態は、カメラ本体１に対してレンズ面６が前述したように３０°前後の仰角角度になり、レンズ面６を被写体に正対して撮影状態にしたときカメラ本体１は図２に示すようにやや下向きに手でホールドされたグリップ状態となる。この手の姿勢は手首Ｒが真っ直ぐ伸びた自然な状態となり、撮影状態では従来のように手首が上向きに曲がるような状態ではないので長時間の撮影においても疲れることもなく、カメラのホールド感を向上することができる。
【００３０】
また、レンズブロック５はカメラの非撮影状態では図１に示すようにカメラ本体１の上面のレンズブロック収納凹部９内に格納されるので、レンズ面６がカメラ本体１の前面上部の外筐体１ａにより保護されると共に、レンズ面６の上部及び下部に隣接して配置したストロボ７や集音マイク８も保護することができる。このことから、カメラの携帯性と小型化を図ることができる。
【００３１】
また、レンズブロック５の格納状態においてレンズ面６はカメラ本体１の上部前面側の外筐体１ａにより保護されるようにしているので、カメラの撮影状態では従来はレンズ部分であった外筐体１ａの部分がカメラのグリップ領域として確保することができる。
【００３２】
さらに、上述したカメラ本体１の従来はレンズ部分であった外筐体１ａの部分が操作ボタンやスピーカ、集音マイク、ストロボ等のデバイスを配置することが可能となり、カメラのさらなる小型化を図ることができる。
【００３３】
また、レンズブロック５がカメラ本体１内に格納される動作に連動してカメラの電源が遮断され、レンズブロック５のポップアップ動作に連動してカメラの電源が投入されることも当然可能である。
【００３４】
本発明は、上述しかつ図面に示した実施の形態に限定されるものでなく、その要旨を逸脱しない範囲内で種々の変形実施が可能である。
【００３５】
本例の実施の形態ではレンズブロック５が第１のコイルばね１５のばね力によりポップアップ動作するようにしたが、コイルばね以外、板ばねやあるいは電磁ソレノイドによりポップアップ動作するようにしてもよい。
【００３６】
また、本例の実施の形態ではレンズブロック５が軸１４を回動支点にして所定の仰角角度ポップアップ動作するように構成したが、レンズブロック５が１８０°反転し、レンズ面６が撮影者側へ向くように構成することであってもよい。
【００３７】
また、レンズブロック５が所定の仰角角度ポップアップ動作する機構以外、カメラ本体１の上面からレンズブロックが垂直に飛び出す方式であったり、カメラ本体１の側面からレンズブロックがスライド式に引き出される方式であってもよい。
【００３８】
さらに、本例の実施の形態では超小型のデジタルビデオカメラの場合について説明したが、その他、デジタルスチルカメラ等にも広く適用可能である。こき場合、液晶表示パネルはカメラ本体に固定されて配置されている。
【００３９】
【発明の効果】
以上説明したように本発明によるカメラ装置によれば、記録媒体及び記録再生機構部を内蔵したカメラ本体部と、カメラ本体部に取り付けられている液晶表示パネル部と、カメラ本体部の上部にカメラ本体部内へ格納位置と、ポップアップ位置とに回動可能にされる光学機構部とを備えたことによって、カメラの非撮影状態では光学機構部がカメラ本体部内に格納されて光学機構部のレンズ面が外筐体で保護することができ、レンズ面に対面する外筐体部分がカメラのグリップ領域として確保でき、カメラの一層の小型化が可能となるといった効果がある。
【００４０】
また、カメラの撮影状態では光学機構部が所定の仰角角度にポップアップするので、撮影時はカメラ本体部が前傾姿勢にされて保持され、光学機構部のレンズ光軸が被写体に対面した撮影状態となる。これによって、撮影時に手首を曲げることなく自然な姿勢で撮影することができる。
【図面の簡単な説明】
【図１】本例の実施の形態によるデジタルビデオカメラの非撮影状態の外観斜視図である。
【図２】本例の実施の形態によるデジタルビデオカメラの撮影状態の外観斜視図である。
【図３】レンズブロックの格納状態の部分断面拡大側面図である。
【図４】同じくレンズブロックのポップアップ状態の部分断面拡大側面図である。
【図５】レンズブロックの固定側板金部材の分離状態の斜視図である。
【図６】レンズブロックの可動側板金部材の分離状態の斜視図である。
【図７】レンズブロックの固定側板金部材と可動側板金部材とを組付けた後方側から見た斜視図である。
【図８】レンズブロックの固定側板金部材と可動側板金部材とを組付けた前方側から見た斜視図である。
【符号の説明】
１…カメラ本体、２…液晶表示パネル、５…レンズブロック、６…レンズ面、７…ストロボ、８…集音マイク、１０…支点軸、１１…ベース板、１４…軸、１５…第１のコイルばね、１９…ロック軸ピン、２１…ガイド溝、２２…ワイヤ部材、２５…ベース板、３０…揺動板、３３…ポップアップボタン、３４…ロック爪、３５…第２のコイルばね、３７…ガイドピン
【図１】
2004072337.tif 000003
【図２】
2004072337.tif 000004
【図３】
2004072337.tif 000005
【図４】
2004072337.tif 000006
【図５】
2004072337.tif 000007
【図６】
2004072337.tif 000008
【図７】
2004072337.tif 000009
【図８】
2004072337.tif 000010